(57)【要約】【課題】遊技盤を収納する遊技主体構造体の裏面に設けた電気接続部の点検や修理を行った後に、電気接続部を保護するカバー構造体の閉め忘れ防止を図る。【解決手段】カバー構造体１が開けられたまま閉め忘れ、可動枠５３が閉じられた場合、可動枠５３が閉じられるのに伴い、カバー構造体１の左壁５が固定枠５２に接触して閉じられる方向に押され、１個の球の直径よりも小さい寸法の隙間２２が補強体１８のフランジ２１とカバー構造体１の右側部との間に形成された状態となり、タンク９８から落下した球がカバー構造体１に衝突し、カバー構造体１で覆われたコネクタや枠側可撓性配線の電気的な接続を保護する。【選択図】図４
2006014824.tif 000002
【特許請求の範囲】
【請求項１】
遊技機枠がパチンコ店の遊技機設置構造体に取り付けられる固定枠と固定枠にヒンジで前側横方向に片開き可能に取り付けられた可動枠とを備え、可動枠が遊技盤を前側から収納する遊技主体収納構造体を備え、遊技主体収納構造体には遊技主体収納構造体の裏面に設けられた電気部品に接続された枠側コネクタが遊技主体収納構造体における前側の遊技盤を格納するための遊技主体収納室の側部前面に露出するように設けられ、遊技主体収納構造体の遊技主体収納室に格納される遊技盤には遊技盤の裏面に設けられた電気部品に接続された盤側コネクタが遊技盤における遊技主体収納室の側部前面と対応する側部裏面に設けられ、遊技盤が遊技機枠の前側から遊技主体収納室に格納されて取り付けられることによって、枠側コネクタと盤側コネクタとが互いに接続されるパチンコ機において、遊技主体収納構造体の裏面には枠側コネクタと遊技主体収納構造体の電気部品との接続部分を覆い隠すカバー構造体がヒンジを中心として遊技主体収納構造体の裏側に開閉し得るように設けられ、可動枠が固定枠から前側に開かれた場合にはカバー構造体が遊技主体収納構造体の裏側に全開となるように開けることが可能であり、可動枠が固定枠に閉じられるのに伴い開いていたカバー構造体が固定枠に接触して閉じられる方向に押し動かされ、可動枠が固定枠に閉じられて支持された場合には、押し動かされたカバー構造体と遊技主体収納構造体との間に形成される隙間が１個の球の直径よりも小さい寸法となるように設定されたことを特徴とするパチンコ機。
【請求項２】
枠側コネクタおよび盤側コネクタが上下方向に縦列配置されたことを特徴とする請求項１記載のパチンコ機。
【請求項３】
遊技主体収納構造体には枠側コネクタよりも横方向内側に遊技主体収納構造体から裏側に突出する縦長な金属製の補強板が設けられ、補強板の後端部からはフランジがカバー構造体の側に向けて突出し、カバー構造体にはフックを有する係合部がカバー構造体の閉じられた場合に補強板の側に位置する側部に設けられ、カバー構造体が人の操作で閉じられた場合、係合部のフックが係合部の弾性作用下でフランジに係合することを特徴とする請求項１記載のパチンコ機。
【請求項４】
係合部のフックがカバー構造体のカバー構造体の閉じられた場合に補強板の側に位置する側部よりもカバー構造体の内側に位置し、係合部のフックが係合部の弾性作用下でフランジの前面に係合することによって、フックよりも補強板の側に位置するカバー構造体の側部がフランジの裏面に接触することを特徴とする請求項３記載のパチンコ機。
【発明の詳細な説明】
【技術分野】
【０００１】
本発明は、遊技盤を収納する遊技主体構造体の裏面に設けた電気接続部の点検や修理を行った後に、電気接続部を保護するカバー構造体の閉め忘れを防止することができるパチンコ機に関する。
【背景技術】
【０００２】
パチンコ機には、パチンコ店の島と呼ばれる遊技機設置構造体に取り付けられる遊技機枠に設けられた電気部品と、球の飛び交う遊技領域および入賞部品や演出部品の設けられた遊技盤に設けられた電気部品とを接続する構造として、遊技機枠にコネクタを設け、遊技盤にコネクタを設け、遊技機枠に遊技盤を取り付けることによって、遊技機枠のコネクタと遊技盤のコネクタとを接続するようにしたものが公知である。しかしながら、遊技機枠のコネクタが露出したまままであるので、パチンコ球を呼ばれる金属製の球が遊技機枠の裏側でコネクタと電線との接続部分に衝突した場合、コネクタと電線との接続に悪影響がある。また、パチンコ機にあっては、遊技盤を収納する裏機構盤の裏面側部に配線を格納して被覆部材で覆う構造も公知である。しかしながら、配線を点検したり修理したりした後、被覆部材を閉め忘れた場合、裏機構盤の裏面側部に配線が露出したままとなり、球が裏機構盤の裏側で配線に衝突した場合、配線に悪影響がある。よって、遊技機枠のコネクタと遊技盤のコネクタとを接続する構造と、裏機構盤の裏面側部の配線を覆い隠す被覆部材の構造とを組み合わせても、被覆部材を閉め忘れた場合、同様の欠点がある。
【特許文献１】特開平８−１７３６１５号公報
【特許文献２】特開平７−１００２４３公報
【特許文献３】特開平１１−４２３２０号公報
【発明の開示】
【発明が解決しようとする課題】
【０００３】
発明が解決しようとする問題点は、点検や修理を行った後に、被覆部材であるカバー構造体の閉め忘れを防止できないという点である。
【課題を解決するための手段】
【０００４】
本発明に係るパチンコ機は、遊技機枠がパチンコ店の遊技機設置構造体に取り付けられる固定枠と固定枠にヒンジで前側横方向に片開き可能に取り付けられた可動枠とを備え、可動枠が遊技盤を前側から収納する遊技主体収納構造体を備え、遊技主体収納構造体には遊技主体収納構造体の裏面に設けられた電気部品に接続された枠側コネクタが遊技主体収納構造体における前側の遊技盤を格納するための遊技主体収納室の側部前面に露出するように設けられ、遊技主体収納構造体の遊技主体収納室に格納される遊技盤には遊技盤の裏面に設けられた電気部品に接続された盤側コネクタが遊技盤における遊技主体収納室の側部前面と対応する側部裏面に設けられ、遊技盤が遊技機枠の前側から遊技主体収納室に格納されて取り付けられることによって、枠側コネクタと盤側コネクタとが互いに接続されるパチンコ機において、遊技主体収納構造体の裏面には枠側コネクタと遊技主体収納構造体の電気部品との接続部分を覆い隠すカバー構造体がヒンジを中心として遊技主体収納構造体の裏側に開閉し得るように設けられ、可動枠が固定枠から前側に開かれた場合にはカバー構造体が遊技主体収納構造体の裏側に全開となるように開けることが可能であり、可動枠が固定枠に閉じられるのに伴い開いていたカバー構造体が固定枠に接触して閉じられる方向に押し動かされ、可動枠が固定枠に閉じられて支持された場合には、押し動かされたカバー構造体と遊技主体収納構造体との間に形成される隙間が１個の球の直径よりも小さい寸法となるように設定されたことを最も主要な特徴とする。本発明に係るパチンコ機は、枠側コネクタおよび盤側コネクタが上下方向に縦列配置されたり、遊技主体収納構造体には枠側コネクタよりも横方向内側に遊技主体収納構造体から裏側に突出する縦長な金属製の補強板が設けられ、補強板の後端部からはフランジがカバー構造体の側に向けて突出し、カバー構造体にはフックを有する係合部がカバー構造体の閉じられた場合に補強板の側に位置する側部に設けられ、カバー構造体が人の操作で閉じられた場合、係合部のフックが係合部の弾性作用下でフランジに係合したり、係合部のフックがカバー構造体のカバー構造体の閉じられた場合に補強板の側に位置する側部よりもカバー構造体の内側に位置し、係合部のフックが係合部の弾性作用下でフランジの前面に係合することによって、フックよりも補強板の側に位置するカバー構造体の側部がフランジの裏面に接触したりすることも特徴とする。
【発明の効果】
【０００５】
本発明に係るパチンコ機は、可動枠が固定枠から前側に開かれた場合にはカバー構造体が遊技主体収納構造体の裏側に全開となるように開けることが可能であるので、可動枠が前側に開けられ、カバー構造体が裏側に開けられことによって、枠側コネクタと遊技主体収納構造体の電気部品との接続部分の点検や修理を適切に行うことができ、可動枠が固定枠に閉じられるのに伴い開いていたカバー構造体が固定枠に接触して閉じられる方向に押し動かされるので、カバー構造体の閉め忘れを防止することができ、可動枠が固定枠に閉じられて支持された場合には、押し動かされたカバー構造体と遊技主体収納構造体との間に形成される隙間が１個の球の直径よりも小さい寸法となるように設定されたので、可動枠が固定枠に閉じられて支持された場合、カバー構造体と遊技主体収納構造体との間の隙間から球がカバー構造体で覆い隠された枠側コネクタと遊技主体収納構造体の電気部品との接続部分に到達することがなく、枠側コネクタと遊技主体収納構造体の電気部品との接続を適切に維持することができるという利点がある。枠側コネクタおよび盤側コネクタが上下方向に縦列配置されれば、カバー構造体の横幅が小さくなり、遊技盤の裏側に突出した部品を逃げるために遊技主体収納構造体に形成される中央開口部の横幅が大きくできるという利点がある。遊技主体収納構造体には枠側コネクタよりも横方向内側に遊技主体収納構造体から裏側に突出する縦長な金属製の補強板が設けられ、補強板の後端部からはフランジがカバー構造体の側に向けて突出し、カバー構造体にはフックを有する係合部がカバー構造体の閉じられた場合に補強板の側に位置する側部に設けられ、カバー構造体が人の操作で閉じられた場合、係合部のフックが係合部の弾性作用下でフランジに係合すれば、閉じられたカバー構造体が遊技主体収納構造体に支持されるという利点がある。係合部のフックがカバー構造体のカバー構造体の閉じられた場合に補強板の側に位置する側部よりもカバー構造体の内側に位置し、係合部のフックが係合部の弾性作用下でフランジの前面に係合することによって、フックよりも補強板の側に位置するカバー構造体の側部がフランジの裏面に接触すれば、閉じられたカバー構造体が球によって前側に押されたとしても前側に移動することがなく、カバー構造体が枠側コネクタと遊技主体収納構造体の電気部品との接続部分を圧迫することがないという利点がある。
【発明を実施するための最良の形態】
【０００６】
図１−図８は、発明を実施するための最良の形態である。図１は、カバー構造体１と可動枠５３とを分解して示す。図２は、固定枠５２とカバー構造体１の取り付けられた可動枠５３とを分解して示す。図３のａ図は、カバー構造体１が閉じられた遊技機枠５１の平面を示す。図３のｂ図は、図３のａ図におけるカバー構造体１の周りを横方向に切断した断面を示す。図４のａ図は、カバー構造体１が開かれて固定枠５２に接触した遊技機枠５１の平面を示す。図４のｂ図は、図４のａ図におけるカバー構造体１の周りを横方向に切断した断面を示す。図５は、カバー構造体１と可動枠５３とが開かれた遊技機枠５１の平面を示す。図６は、パチンコ機における遊技機枠５１と遊技盤８５とを分解して示す。図７は、遊技機枠５１の裏面を示す。図８は、パチンコ機の裏面を示す。この明細書において、「前」、「後」、「裏」、「左」、「右」、「上」、「下」の方向は、図６の状態に遊技機枠５１および遊技盤８５を置き、それらを前側から見た場合に特定される方向である。「後」と「裏」とは同じ方向である。
【０００７】
図１を参照し、遊技主体収納構造体５６における裏面の左側部に設けられたカバー構造体１について説明する。遊技主体収納構造体５６の裏面の左側部における枠側可撓性配線１２０には、電源端子基板１１８、払出中継端子基板１１７、外部情報端子基板１１６、複数の枠側コネクタ７５が、上から下に順に列となるように、上下方向に縦列配置される。これらの電源端子基板１１８、払出中継端子基板１１７、外部情報端子基板１１６、複数の枠側コネクタ７５を覆うカバー構造体１が、遊技主体収納構造体５６に、開閉可能に設けられる。カバー構造体１は、カバー基板２の周囲から前側に上壁３と下壁４と左壁５および右壁６からなる周壁を突出し、前側に開口された空間部を備える。カバー構造体１における上壁３の左部からは、上カバーヒンジアーム７が前側に直線的に延設される。上カバーヒンジアーム７の前端部には、上下に貫通するヒンジ孔８が形成される。カバー構造体１における下壁４の左部からは、下カバーヒンジアーム９が前側に直線的に延設される。下カバーヒンジアーム９の前端部には、上下に貫通するヒンジ孔１０が形成される。
【０００８】
カバー基板２には、外部情報端子基板１１６を逃げる逃孔１１、カバー構造体１を遊技主体収納構造体５６に係合・解除する係合部１２が設けられる。逃孔１１は、カバー基板２の右側部にも開口している。係合部１２は、カバー基板２の上下方向中央部において、カバー基板２の右側部から後側に湾曲した後に前側に突出した弧状であって、係合部１２の前端部に右側に突出するフック１３を備える。係合部１２がカバー基板２から片持ち梁のように延設され、カバー基板２における係合部１２の周囲には係合部１２を逃げるためにカバー基板２を切除した逃部１４が形成される。遊技主体収納構造体５６における遊技主体収納室を区画形成した上左部からは上枠ヒンジ１６が後方に直線的に延設される。上枠ヒンジ１６の後端部からはヒンジピン１７が下方に突出する。遊技主体収納構造体５６における遊技主体収納室を区画形成した下部には、発射払出制御装置１１５の取付台１８が取り付けられ、取付台１８の上部からはヒンジピンとしての下枠ヒンジ１９が上方に突出する。遊技主体収納構造体５６における遊技主体収納室を区画形成した左壁には、金属製の補強板２０が固定される。補強板２０の後端部からはフランジ２１が左側に突出する。
【０００９】
カバー構造体１は、遊技主体収納構造体５６に、次のように取り付けられる。図１に示すように、電源端子基板１１８、払出中継端子基板１１７、外部情報端子基板１１６、複数の枠側コネクタ７５の実装された枠側可撓性配線１２０や取付台１８および補強板２０が遊技主体収納構造体５６の裏面に取り付けられた状態において、カバー構造体１における空間部の前側の開口が遊技主体収納構造体５６の方に向けられ、カバー構造体１における上カバーヒンジアーム７のヒンジ孔８が遊技主体収納構造体５６における上枠ヒンジ１６のヒンジピン１７に下から嵌め込まれ、カバー構造体１における下カバーヒンジアーム９のヒンジ孔１０が遊技主体収納構造体５６における取付台１８の下枠ヒンジ１９を構成するヒンジピンに上からはめ込まれる。これによって、図２に示すように、下カバーヒンジアーム９が取付台１８の上に搭載され、カバー構造体１が、上カバーヒンジアーム７と上枠ヒンジ１６との嵌め合い部分、下カバーヒンジアーム９と下枠ヒンジ１９との嵌め合い部分を中心として、前側から後側に開けられたり、後側から前側に閉じられたりするように、開閉可能となって、遊技主体収納構造体５６に取り付けられる。
【００１０】
図３−図５を参照し、カバー構造体１の作用について説明する。図３に示すように、カバー構造体１が遊技主体収納構造体５６に取り付けられ、固定枠５２と可動枠５３とが互いにヒンジ５４で開閉可能に連結され、可動枠５３が閉じられてロック機構６３で開閉不能に固定枠５２に固定された状態において、カバー構造体１が後側から前側に閉じられ、係合部１２のフック１３が補強板２０のフランジ２１を後側から前側に越え、カバー基板２の右側部が補強板２０のフランジ２１の裏面に接触し、フック１３がフランジ２１の前面に係合し、カバー構造体１が遊技主体収納構造体５６に開閉しないように固定されることによって、電源端子基板１１８、払出中継端子基板１１７、外部情報端子基板１１６、枠側可撓性配線１２０が、カバー構造体１の空間部に取り込まれ、カバー構造体１で覆い隠される。よって、タンク９８から球が落下した場合、当該落下した球が、カバー構造体１に衝突し、電源端子基板１１８、払出中継端子基板１１７、外部情報端子基板１１６、枠側可撓性配線１２０に衝突することがないので、電源端子基板１１８、払出中継端子基板１１７、外部情報端子基板１１６、枠側可撓性配線１２０における電気的な接続を適切に維持することができるという利点がある。逃孔１１がカバー基板２に形成されているので、カバー構造体１が遊技主体収納構造体５６に開閉しないように固定された場合、外部情報端子基板１１６にホールコンピュータを接続する配線を適切に接続することができるという利点がある。
【００１１】
図４に示すように、カバー構造体１が遊技主体収納構造体５６に取り付けられ、固定枠５２と可動枠５３とが互いにヒンジ５４で開閉可能に連結され、可動枠５３が閉じられてロック機構６３で開閉不能に固定枠５２に固定された状態において、フック１３とフランジ２１とによる係合が解除され、上カバーヒンジアーム７と上枠ヒンジ１６との嵌め合い部分、下カバーヒンジアーム９と下枠ヒンジ１９との嵌め合い部分を中心として、カバー構造体１が後側に開けられた場合、カバー構造体１の左壁が固定枠５２に接触し、それ以上、カバー構造体１が後側に開かなくなる。このようにカバー構造体１の左壁が固定枠５２に接触した場合、補強板２０のフランジ２１とカバー構造体１の右側部との間における隙間２２は、１個の球の直径よりも小さい寸法となるように設定されている。したがって、タンク９８から球が落下した場合、当該落下した球が、カバー構造体１に衝突し、電源端子基板１１８、払出中継端子基板１１７、外部情報端子基板１１６、枠側可撓性配線１２０に衝突することがないので、電源端子基板１１８、払出中継端子基板１１７、外部情報端子基板１１６、枠側可撓性配線１２０のそれぞれにおける電気的な接続を適切に維持することができるという利点がある。
【００１２】
図５に示すように、カバー構造体１が遊技主体収納構造体５６に取り付けられ、固定枠５２と可動枠５３とが互いにヒンジ５４で開閉可能に連結され、可動枠５３がロック機構６３による支持形態が解除されてヒンジ５４を中心として固定枠５２から前側に開けられた状態において、作業者がフック１３とフランジ２１との係合を解除してカバー構造体１を後側に移動すると、上カバーヒンジアーム７と上枠ヒンジ１６との嵌め合い部分、下カバーヒンジアーム９と下枠ヒンジ１９との嵌め合い部分を中心として、カバー構造体１が後側に固定枠５２と干渉することなく全開となるように大きく開けられる。したがって、電源端子基板１１８、払出中継端子基板１１７、外部情報端子基板１１６、枠側可撓性配線１２０のそれぞれにおける電気的な接続を行うことができ、点検や修理も適切に行えるという利点がある。逃孔１１がカバー基板２の右側部にも開口しているので、外部情報端子基板１１６にホールコンピュータを配線を接続したまま、カバー構造体１を後側に全開となるように全開となるように開くことができるという利点がある。
【００１３】
また、図５に示すように、カバー構造体１が開けられたまま閉め忘れ、可動枠５３が閉じられた場合、可動枠５３が閉じられるのに伴い、カバー構造体１の左壁５が固定枠５２に接触して閉じられる方向に押される。そして、可動枠５３がロック機構６３で固定枠５２に固定された場合、図４に示すように、１個の球の直径よりも小さい寸法の隙間２２が補強板２０のフランジ２１とカバー構造体１の右側部との間に形成された状態となる。よって、電源端子基板１１８、払出中継端子基板１１７、外部情報端子基板１１６、枠側可撓性配線１２０のそれぞれにおける電気的な接続を行ったり点検したりした後、カバー構造体１が開けられたまま閉め忘れられ、可動枠５３が閉じられてロック機構６３で固定枠５２に固定された状態において、タンク９８から球が落下した場合、当該落下した球が、カバー構造体１に衝突し、電源端子基板１１８、払出中継端子基板１１７、外部情報端子基板１１６、枠側可撓性配線１２０に到達することがないので、電源端子基板１１８、払出中継端子基板１１７、外部情報端子基板１１６、枠側可撓性配線１２０のそれぞれにおける電気的な接続を適切に維持することができるという利点がある。
【００１４】
枠側コネクタ７５および盤側コネクタ９５が上下方向に縦列配置さているので、カバー構造体１の横幅が小さくなり、遊技盤８５の裏側に突出した部品を逃げるために遊技主体収納構造体５６に形成される中央開口部７３の横幅が大きくできるという利点がある。遊技主体収納構造体５６には枠側コネクタ７５よりも横方向内側としての右側に遊技主体収納構造体５６から裏側に突出する縦長な金属製の補強板２０が設けられ、補強板２０の後端部からはフランジ２１がカバー構造体１の側としての左側に向けて突出し、カバー構造体１にはフック１３を有する係合部１２がカバー構造体１を閉じた場合における補強板２０の側に位置する側部としての右部に設けられ、カバー構造体１が人の操作で閉じられた場合、係合部１２のフック１３が係合部１２の弾性作用下でフランジ２１に係合するので、閉じられたカバー構造体１が遊技主体収納構造体５６に支持されるという利点がある。係合部１２のフック１３が補強板２０のフランジ２１の前面に係合した場合、カバー構造体１の右端部がフランジ２１の裏面に接触するので、閉じられたカバー構造体１が上方から落下する球によって前側に押されたとしても前側に移動することがなく、カバー構造体１が枠側コネクタ７５と遊技主体収納構造体５６の電気部品との接続部分を圧迫することがないという利点がある。
【００１５】
係合部１２がカバー基板２の上下方向中央部に設けられているので、作業者がカバー構造体１を開閉する場合、係合部１２を操作するカバー構造体１を適切に開閉することができるという利点がある。カバー基板２から片持ち梁のように延設された係合部１２が、カバー基板２の右側部から後側に湾曲した後に前側に突出した弧状であるので、作業者が係合部１２のカバー基板２から後側に突出した部分を前側に押すことによって、フック１３がフランジ２１を後側から前側に越えるように、係合部１２が撓み、フック１３がフランジ２１の前側に越えるのに伴い、係合部１２が元の姿勢に復元し、フック１３がフランジ２１の前面に係合し、カバー構造体１が遊技主体収納構造体５６に開かないように閉じられて支持される。カバー構造体１が遊技主体収納構造体５６に支持された状態において、作業者が、係合部１２のカバー基板２から後側に突出した部分を右側に押してフック１３をフランジ２１から解除したまま、係合部１２のカバー基板２から後側に突出した部分を後側に引くことによって、カバー構造体１が開けられる。つまり、係合部１２が、基板カバー２の右側部から後側に湾曲した後に前側に突出した弧状であるので、作業者が係合部１２を操作しやいという利点がある
【００１６】
図６を参照し、遊技機枠５１の裏機構および遊技盤８５の前機構について説明する。遊技機枠５１は、固定枠５２および可動枠５３を備える。固定枠５２は、パチンコ店の図外の遊技機設置構造体に取り付けるための外枠と呼ばれるものであって、前後方向に開放された縦長な長方形の空間を囲む額縁形状である。可動枠５３は、前枠または中枠と呼ばれるものであって、固定枠５２に左側のヒンジ５４で前側横方向に片開き可能にかつ着脱可能（交換可能）に取り付けられる。可動枠５３は、前後方向に開放された縦長な長方形の空間を囲む額縁形状の可動枠本体５５と、可動枠本体５５から内部に延設された遊技主体収納構造体５６とを備える。可動枠本体５５には、パネル枠５７および球皿構造体５８が左側に設けられる上側および下側のヒンジ５９で前側横方向に片開き可能に取り付けられる。パネル枠５７は、前後方向に開放された窓６０を囲む額縁形状である。パネル枠５７の裏面には、ガラスまたは合成樹脂からなる光透過性を有する前面パネル６１が、窓６０を覆う格好で取り付けられる。
【００１７】
可動枠本体５５の右縦片には施錠装置６２と複数のロック機構６３；６４；６５およびロック解除操作体６６が設けられる。可動枠５３やパネル枠５７および球皿構造体５８が閉じられてロック機構６３−６５で開閉不能に支持された状態において、遊技店の店員が図外のキープレート（鍵）を遊技機枠５１の前側から施錠装置６２の鍵穴６７に挿入し、当該キープレートを例えば右側に９０度回転操作すると、固定枠５２と可動枠５３とのロック機構６３による支持形態が解除される。この支持形態の解除後に、店員が可動枠５３を前側に引くことによって、可動枠５３はヒンジ５４を中心として前側に片開きされる。また、上記施錠装置６２の鍵穴６７に挿入されたキープレートが例えば左側に９０度回転操作されると、可動枠５３とパネル枠５７とのロック機構６４による支持形態が解除される。
【００１８】
この支持形態の解除後に、店員がパネル枠５７を前側に引くことによって、パネル枠５７はヒンジ５９を中心として前側に片開きされる。このように、パネル枠５７が前側に開かれた状態において、店員が可動枠５３の前面に設けられたロック解除操作体６６を操作すると、可動枠５３と球皿構造体５８とのロック機構６５による支持形態が解除される。この支持形態の解除後に、店員が球皿構造体５８を前側に引くことによって、球皿構造体５８はヒンジ５９を中心として前側に片開きされる。球皿構造体５８の前面には、球収納部６８および発射操作機構６９を備える。球収納部６８は、遊技に使用する球を受ける上方に開放された形態である。球皿構造体５８の裏面には、前横樋８０から球を球収納部６８に供給する球取入口７０と、球収納部６８から発射機構７７に球を供給する球供給口７１とを備える。
【００１９】
遊技主体収納構造体５６は、前側に開放された遊技主体収納室７２と、遊技主体収納室７２の背壁に前後方向に貫通する中央開口部７３とを備える。遊技主体収納室７２の左側部には、遊技盤８５を取り付ける枠側ヒンジ７４および枠側コネクタ７５を備える。枠側ヒンジ７４は、遊技主体収納室７２の左側部に固定的に取りけられたヒンジ躯体の前側に折り曲げられた支持部から上方に突出したヒンジピンを備えた構造である。枠側コネクタ７５は、導電材かなるコネクタピンが合成樹脂のような電気絶縁材かなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤の電極から押されるのに伴い、弾性体が圧縮し、コネクタピンと電極とが互いに押し合って接触する。
【００２０】
遊技主体収納構造体５６における遊技主体収納室７２よりも下部における前面には、遊技主体棚７６を備える。遊技主体棚７６から下方に延設された遊技主体収納構造体５６における前壁の前面には、発射機構７７、発射レール７８、ファール球取入口部７９、前横樋８０を備える。発射レール７８は、球皿構造体５８の球供給口７１から供給された１個の球を受け取る。発射機構７７は、電力供給と遮断とを交互に受けることによって、球収納部６８から発射レール７８に供給された１個の球を遊技盤８５の前面の遊技領域に向けて発射する。発射レール７８は、発射機構７７から発射された球を、遊技盤８５の前面の発射通路の入口に誘導する。ファール球取入口部７９は、遊技盤８５の発射通路から落下する球を取り込む。ファール球取入口部７９に取り込まれた球は、前横樋８０を経由して球取入口７０に排出される。前横樋８０は、可動枠５３の裏部に取り付けられた図１に示すタンク９８から払い出された球を球取入口７０に排出する。遊技主体収納室７２の右側部には、遊技主体ロック部材８１を備える。遊技主体ロック部材８１は、遊技主体収納構造体５６から前側に突出する円筒状の台座の中心にロック操作体８２を回転可能に備える。ロック操作体８２は、台座から前側に突出した操作軸の端部に固定された横長な形態である。
【００２１】
遊技盤８５の裏面には、主制御装置８６、複合制御装置８７、セット板と呼ばれる部品取付構造体８８、盤側可撓性配線８９、盤側ヒンジ９０、取付部９１を備える。部品取付構造体８８は、遊技盤８５の前面に設けられた図外の入賞部品やアウト口から遊技基板の裏側に排出された球を、下方に誘導して排出する。遊技盤８５の裏側には、遊技盤８５の前面に設けられた遊技部品の裏機構が、遊技盤８５に形成された図外の逃孔や部品取付構造体８８に形成された逃孔を経由して突出する。遊技盤８５の裏側に突出した遊技部品の裏機構は、入賞部品に入賞した球を電気的に検出した入賞信号を主制御装置８６を出力する入賞球検出器、可動部品を動かす駆動機構９２、図柄表示器９３、図柄表示器９３の制御を行う図柄制御装置９４、図柄表示部品のステップモータ９７、表示灯基板などである。
【００２２】
盤側可撓性配線８９は、遊技盤８５に設けられた電気部品と遊技機枠５１に設けられた電気部品とを接続する多数本の箔形状の電線および箔形状の電極として構成された盤側コネクタ９５が、可撓性を有する合成樹脂基板の表面に付設された構造である。盤側コネクタ９５は、枠側コネクタ７５のコネクタピンと対応する個数のラウンドと呼ばれるものであって、各盤側コネクタ９５からは上記箔形状の電線が個別に延設される。電線の表面は、レジスト膜のような電気絶縁材で被覆され、人の接触から保護される。盤側可撓性配線８９には、入賞球検出器、可動部品を動かす駆動機構９２、図柄制御装置９４、表示灯基板などである。盤側ヒンジ９０は、遊技盤８５に固定的に取りけられたヒンジ躯体の前側に折り曲げられた支持部に上下方向に貫通したヒンジ孔を備えた構造である。取付部９１は、遊技盤８５の右側部に固定される。取付部９１は、ロック挿入孔９６を備える。
【００２３】
遊技盤８５は、遊技機枠５１に、次のように装着される。少なくとも、パネル枠５７が前側に開けられた状態において、遊技盤８５の裏面が可動枠５３の前面に向けられ、遊技盤８５の左側部が遊技主体収納室７２に前側から挿入され、盤側ヒンジ９０のヒンジ孔が枠側ヒンジ７４のヒンジピンに上方から挿入されると、遊技盤８５が遊技機枠５１に盤側ヒンジ９０と枠側ヒンジ７４とを中心として回転可能に取り付けられる。その後、遊技盤８５の右側部が作業者によって遊技機枠５１の方に押されると、盤側ヒンジ９０と枠側ヒンジ７４との嵌合が中心となり、遊技盤８５が右側に回転しつつ遊技主体収納室７２に収納され、ロック操作体８２が遊技盤８５のロック挿入孔９６に後側から挿入されて前側に突出する。その状態において、作業者がロック操作体８２を例えば左方向に９０度回転操作すると、ロック操作体８２がロック挿入孔９６の周りにおける取付部９１と係合し、遊技盤８５が遊技主体収納室７２に取り付けられる。このように遊技盤８５が遊技主体収納室７２に取り付けられることによって、盤側可撓性配線８９の盤側コネクタ９５と枠側コネクタ７５のコネクタピンとが互いに接続される。
【００２４】
図７を参照し、遊技機枠５１の裏機構について説明する。上方に開放した箱形のタンク９８は、遊技機設置構造体における補給機構の球出口から排出された球を受けるものであって、中央開口部７３より右上部に配置され、遊技主体収納構造体５６の裏面に取り付けられる。タンク９８の底部には、取込部９９が、右側で前後方向中央部に設けられる。取込部９９は、左右に横長であって、タンク９８の底部から下方に窪む窪みである。タンク９８には、球払出機構１０１が設けられる。球払出機構１０１は、ステップモータからなる払出モータ１０２と螺旋払出体１０３および払出球検出部１０４を備える。払出モータ１０２のモータケースが、タンク９８の右外側面に取り付けられる。螺旋払出体１０３は、丸棒の外周面に螺旋体を備える。螺旋体は、螺旋払出体１０３の丸棒の軸心方向に球を１個ずつ分離する間隔で、当該丸棒の外周面から径方向外側に螺旋形状に突出する。螺旋払出体１０３の丸棒の軸心が左右方向に向けられた格好で、螺旋体が取込部９９に回転可能に収納される一方、螺旋払出体１０３における螺旋体の不在な丸棒の両端部が取込部９９を囲む左右側壁を取込部９９の内外に回転可能に貫通する。そして、螺旋払出体１０３における取込部９９の左側壁の外側に突出した丸棒の端部が、払出モータ１０２のモータ軸のような出力軸に結合される。この結合よって、払出モータ１０２の出力軸が回転すると、螺旋払出体１０３も一緒に回転する。タンク９８の底部は、球が周囲から取込部９９に向けて流れる斜面を形成する。
【００２５】
したがって、タンク９８に貯蔵された球は、タンク９８の内部を矢印Ｘ１で示す方向に流れてタンク９８の取込部９９に流れ込み、払出モータ１０２による螺旋払出体１０３の回転によって螺旋体の隙間に分離されつつ取り込まれて螺旋体で取込部９９の内部を左側から右側に移動し取込部９９における底部に形成された球出口１０５から下方に落下してタンク９８から排出される。このタンク９８から排出された球は、球出口１０５の下部に連接された払出球検出部１０４に取り込まれる。払出球検出部１０４には、払出球検出器１０６を備える。払出球検出器１０６は、タンク９８から払出球検出部１０４に排出された球を検出するごとに払出球検出信号を主制御装置８６および発射払出制御装置１１５に出力する。払出球検出器１０６を通過した球は、払出球検出部１０４の下部に連接された払出樋１０７に取り込まれる。払出樋１０７は、中央開口部７３よりも右側に配置され、遊技主体収納構造体５６の裏面に取り付けられる。払出樋１０７の内部には、球通路が、上部から下部に行くにしたがって、前後方向に蛇行する形態に形成される。払出樋１０７の下端は、前横樋８０の右上部に連なる。よって、払出樋１０７に取り込まれた球は、払出樋１０７の内部における球通路を蛇行しながら流下して前横樋８０に排出される。
【００２６】
払出樋１０７の右側には、球抜樋１０８が併設される。払出樋１０７および球抜樋１０８は上部で互いに連接される。この連接部には、通路切換機構１０９が設けられる。通路切換機構１０９は、払出樋１０７の裏面に取り付けられた電磁ソレノイドからなる通路切換駆動源としての通路切換ソレノイド１１０、通路切換ソレノイド１１０のプランジャに連結されて払出樋１０７の球通路に配置された通路切換弁１１１とを備える。例えば、通路切換ソレノイド１１０が電力供給されていない場合、通路切換弁１１１は、払出球検出部１０４から払出樋１０７に球を流すように、払出球検出部１０４と球抜樋１０８との球通路を遮断する。そして、通路切換ソレノイド１１０が電力供給されている場合、通路切換弁１１１は、払出球検出部１０４から球抜樋１０８に球を流すように、払出球検出部１０４と払出樋１０７との球通路を遮断する。球抜樋１０８の下端は、前横樋８０の収納部裏面に球通路カバーにより形成された球抜樋１０８に連接される。球抜樋１０８の下端は、前横樋８０の収納部裏面から下方に突出する。払出樋１０７における通路切換機構１０９よりも下部の中間部には、満タン検出器１１２が設けられる。満タン検出器１１２は、図６に示す球収納部６８から前横樋８０および払出樋１０７の満タン検出器１１２まで球が満杯となると、主制御装置８６による遊技制御を停止するために、満タン検出器１１２が満杯となった球でオン動作して満杯検出信号を主制御装置８６に出力する。
【００２７】
遊技主体収納構造体５６における遊技主体棚７６より下方に延設された前壁の裏面には、電源装置１１４と発射払出制御装置１１５とが取り付けられる。電源装置１１４は、中央開口部７３よりも右下部に配置される。発射払出制御装置１１５は、中央開口部７３よりも左下部に配置される。枠側コネクタ７５よりも上部における遊技主体収納構造体５６の裏面には、外部情報端子基板１１６、払出中継端子基板１１７、電源端子基板１１８が、下から上に順に配置された形態で、取り付けられる。発射払出制御装置１１５よりも左側における遊技主体収納構造体５６の裏面には、球皿中継基板１１９が取り付けられる。電源装置１１４、発射払出制御装置１１５、枠側コネクタ７５、払出中継端子基板１１７、電源端子基板１１８、外部情報端子基板１１６、球皿中継基板１１９のそれぞれは、枠側可撓性配線１２０で、互いに接続される。枠側可撓性配線１２０は、遊技盤８５に設けられた電気部品と遊技機枠５１に設けられた電気部品とを接続する多数本の箔形状の電線が、可撓性を有する合成樹脂基板に付設された構造である。
【００２８】
枠側可撓性配線１２０には、枠側コネクタ７５、外部情報端子基板１１６、払出中継端子基板１１７、電源端子基板１１８、電源装置１１４、発射払出制御装置１１５が接続される。払出中継端子基板１１７には、タンク９８に設けられたタンク中継端子基板１２６が、ハーネス１２１で接続される。電源端子基板１１８には、パチンコ機のプラグ１２２を有する電源配線１２３が接続される。外部情報端子基板１１６は、遊技店の店営業を管理する図外のホールコンピュータと接続される。球皿中継基板１１９には、図６に示す球皿構造体５８からの配線が接続される。電源装置１１４の裏面下部には、電源スイッチ１２４およびリセット釦１２５が設けられる。
【００２９】
図８を参照し、遊技盤８５の装着された遊技機枠５１の説明を行う。図６に示す遊技機枠５１が遊技店の遊技機設置構造体に取り付けられ、遊技盤８５が遊技機枠５１に装着され、パネル枠５７および球皿構造体５８が閉じられて可動枠５３に固定され、遊技機枠５１の裏側に設けられた電源配線１２３のプラグ１２２が遊技機設遊構造体のＡＣ２４ボルトを出力する島電源の出力端子に接続され、図７に示す電源スイッチ１２４が作業者によって投入され、遊技機枠５１の裏面における電源装置１１４が、遊技盤８５の裏面における主制御装置８６と複合制御装置８７および図柄制御装置９４、遊技機枠５１の裏面における発射払出制御装置１１５に直流電源を供給し、主制御装置８６と複合制御装置８７および図柄制御装置９４が起動し、パチンコ球と呼ばれる球が球収納部６８およびタンク９８に入れられ、球切れ検出器１１３が球切れ検出信号を出力しておらず、満タン検出器１１２が満タン検出信号を出力していない状態において、遊技者が発射操作機構６９を操作すると、発射操作機構６９が遊技者の操作量に応じた可変抵抗値を発射払出制御装置１１５に出力する。これによって、発射払出制御装置１１５が例えば１分間に１００発未満の周期と可変抵抗値に応じた発射出力とで発射機構７７を駆動し、発射機構７７が球収納部６８から供給された球を１個ずつ発射する。
【００３０】
発射機構７７から発射された球は、遊技盤８５の発射通路を経由して遊技領域に発射される。遊技領域に発射された球は、センター飾り、入賞部品、サイドランプ、風車、遊技釘、球反発体などに衝突して流れる方向を変えられながら、遊技領域を流下し、入賞部品に入賞する。入賞部品に入賞しないで遊技領域の最下部に到達した球は、アウト口から遊技基板の裏側に排出される。入賞部品に球が入賞すると、入賞球検出器が入賞部品に入賞した球を電気的に検出して入賞検出信号を配線を通して主制御装置８６に出力する。そして、主制御装置８６が入賞検出信号の種類による賞球払出信号を発射払出制御装置１１５に出力し、発射払出制御装置１１５が賞球払出信号に基づく個数の賞球としての球を払い出すように払出モータ１０２を正転方向に駆動する。これによって、タンク９８のタンク９８から賞球としての球が払い出される。
【００３１】
このように、球がタンク９８から払い出されるのに伴い、払出球検出器１０６が払出検出信号を配線を通して発射払出制御装置１１５に出力し、発射払出制御装置１１５が払出検出信号をタンク９８から払い出された球数としてカウントアップするかまたは賞球払出信号に基づき定められた設定賞球数をカウントダウンするかの演算処理を行う。この演算処理の結果として、発射払出制御装置１１５は、タンク９８が賞球払出信号による個数の球を払い出し終わる時間が経過した時点において、カウントアップした値が賞球払出信号に基づき定められた設定賞球数と一致するかまたは賞球払出信号に基づき定められた設定賞球数からカウントダウンした値が「０」となった場合、払出モータ１０２の正転方向の駆動を停止する。
【００３２】
球切れ検出器１１３がタンク９８に球の存在を検出していてオフ動作していることから、発射払出制御装置１１５が払出モータ１０２を正転方向に駆動するような制御中において、発射払出制御装置１１５には球切れ信号が入力されずかつ賞球払出信号が一定時間入力されないことが継続した場合、または、発射払出制御装置１１５が払出モータ１０２の正転方向の駆動中における出力トルクを監視し、この監視している出力トルクがしきい値である所定値よりも上昇した状態が一定時間継続した場合、発射払出制御装置１１５は球払出機構１０１に球詰まりが発生したと判断する。そして、発射払出制御装置１１５が払出モータ１０２を正転方向から逆転方向に駆動するように発射払出制御装置１１５から払出モータ１０２に供給する電力の極性を一定時間切り換える。これによって、払出モータ１０２が逆転方向に一定時間駆動する。払出モータ１０２を正転方向から逆転方向に駆動するように電力の極性を切り換える一定時間は、上カバーヒンジアーム７における上枠ヒンジ１６の球が取込部９９に左側部に接触する直前までの時間であって、この時間が経験則から割り出して発射払出制御装置１１５に設定されている。
【００３３】
その後、発射払出制御装置１１５は、払出モータ１０２を逆転方向から正転方向に駆動するように発射払出制御装置１１５から払出モータ１０２に供給する電力の極性を元に戻すように切り換える。または、発射払出制御装置１１５が払出モータ１０２の逆転方向の駆動中における出力トルクを監視し、この監視している出力トルクがしきい値である所定値よりも上昇した状態が一定時間継続した場合、退避孔に球が取り込まれたと判断することによって、発射払出制御装置１１５が払出モータ１０２を逆転方向から正転方向に駆動するように発射払出制御装置１１５から払出モータ１０２に供給する電力の極性を元に戻すように切り換える。このように出力トルクを監視した場合は、発射払出制御装置１１５に上記経験則から割り出した一定時間に置換してしきい値を設定しておく。これによって、払出モータ１０２が正転方向に駆動する。この正逆転の切替制御は、球払出機構１０１に発生した球詰まりが解消されるまでの間、所定回数行われる。そして、所定回数行われても、球払出機構１０１に発生した球詰まりが解消されない場合、発射払出制御装置１１５は、正逆転の切替制御を停止するとともに、パチンコ店の店員による球詰まり解消を行わせるために、異常信号を図外の報知器に出力する。
【図面の簡単な説明】
【００３４】
【図１】カバー構造体と可動枠とを示す分解斜視図（最良の形態）。
【図２】固定枠とカバー構造体の取り付けられた可動枠とを示す分解斜視図（最良の形態）。
【図３】ａ図はカバー構造体が閉じられた遊技機枠を示す平面図、ｂ図はａ図におけるカバー構造体の周りを示す横断面図（最良の形態）。
【図４】ａ図はカバー構造体が開かれて固定枠に接触した遊技機枠を示す平面図、ｂ図はａ図におけるカバー構造体の周りを示す横断面図（最良の形態）。
【図５】カバー構造体と可動枠とが開かれた遊技機枠を示す平面図（最良の形態）。
【図６】パチンコ機の遊技機枠と遊技盤とを示す分解斜視図（最良の形態）。
【図７】遊技機枠を示す背面図（最良の形態）。
【図８】パチンコ機を示す裏面図（最良の形態）。
【符号の説明】
【００３５】
１      カバー構造体
２      カバー基板
１２    係合部
１３    フック
２０    補強板
２１    フランジ
２２    隙間
５１    遊技機枠
５２    固定枠
５３    可動枠
５６    遊技主体収納構造体
７２    遊技主体収納室
７５    枠側コネクタ
８５    遊技盤
９５    盤側コネクタ
【図１】
2006014824.tif 000003
【図２】
2006014824.tif 000004
【図３】
2006014824.tif 000005
【図４】
2006014824.tif 000006
【図５】
2006014824.tif 000007
【図６】
2006014824.tif 000008
【図７】
2006014824.tif 000009
【図８】
2006014824.tif 000010